(57)【要約】【課題】各配線の容量値を揃えることが可能な配線基板及び配線基板の設計方法を提供する。【解決手段】第１ピッチで並んだ第１パッド、第２パッド、第３パッドを含む第１パッド群と、第１ピッチとは異なる第２ピッチで並んだ第４パッド、第５パッド、第６パッドを含む第２パッド群と、前記第１パッドと前記第４パッドとを接続する第１接続配線、一定の幅を持つ第１ギャップをおいて前記第１接続配線に隣接し前記第２パッドと前記第５パッドとを接続する第２接続配線、前記第１ギャップと同一の一定の幅を有し且つ前記第１ギャップと同一の全長を有する第２ギャップをおいて前記第２接続配線に隣接し前記第３パッドと前記第６パッドとを接続する第３接続配線を含む接続配線群と、を備えた配線基板。【選択図】図２
2014074758.tif 000002
【特許請求の範囲】
【請求項１】
第１ピッチで並んだ第１パッド、第２パッド、第３パッドを含む第１パッド群と、
第１ピッチとは異なる第２ピッチで並んだ第４パッド、第５パッド、第６パッドを含む第２パッド群と、
前記第１パッドと前記第４パッドとを接続する第１接続配線、一定の幅を持つ第１ギャップをおいて前記第１接続配線に隣接し前記第２パッドと前記第５パッドとを接続する第２接続配線、前記第１ギャップと同一の一定の幅を有し且つ前記第１ギャップと同一の全長を有する第２ギャップをおいて前記第２接続配線に隣接し前記第３パッドと前記第６パッドとを接続する第３接続配線を含む接続配線群と、
を備えた配線基板。
【請求項２】
前記接続配線群は、さらに、前記第３接続配線の前記第２接続配線とは反対側で、前記第１ギャップと同一の一定の幅を有し且つ前記第１ギャップと同一の全長を有する第３ギャップをおいて前記第３接続配線に隣接した接地電位のダミー接続配線を含む、請求項１に記載の配線基板。
【請求項３】
前記第１接続配線、前記第２接続配線、及び、前記第３接続配線の少なくとも１つには開口が形成された、請求項１または２に記載の配線基板。
【請求項４】
前記第１接続配線、前記第２接続配線、及び、前記第３接続配線の少なくとも１つは、抵抗値の異なる複数の導電層を積層した多層構造である、請求項１乃至３のいずれか１項に記載の配線基板。
【請求項５】
第１ピッチで並んだ第１パッド、第２パッド、第３パッドを含む第１パッド群と、第１ピッチとは異なる第２ピッチで並んだ第４パッド、第５パッド、第６パッドを含む第２パッド群と、前記第１パッドと前記第４パッドとを接続する第１接続配線、前記第１接続配線に隣接し前記第２パッドと前記第５パッドとを接続する第２接続配線、前記第２接続配線に隣接し前記第３パッドと前記第６パッドとを接続する第３接続配線を含む接続配線群と、を備えた配線基板の設計方法であって、
前記第１パッド、第１仮想パッド、前記第２パッド、第２仮想パッド、及び、前記第３パッドを一列に配置した第１パッド群を形成し、
前記第４パッド、第３仮想パッド、前記第５パッド、第４仮想パッド、及び、前記第６パッドを一列に配置した第２パッド群を形成し、
前記第１仮想パッドと前記第３仮想パッドとを接続するとともに一定の幅を有する第１仮想配線を形成し、
前記第２仮想パッドと前記第４仮想パッドとを接続するとともに前記第１仮想配線と同一の一定の幅を有し前記第１仮想配線と同一の全長を有する第２仮想配線を形成し、
前記第１パッド群と前記第２パッド群との間にベタパターンを配置し、前記第１仮想配線及び前記第２仮想配線の全体をベタパターンと重ね合わせ、
前記ベタパターンから前記第１仮想配線及び前記第２仮想配線を減算し、前記第１仮想配線と前記第２仮想配線との間に残ったパターンを前記第２接続配線の外形パターンとする、配線基板の設計方法。
【発明の詳細な説明】
【技術分野】
【０００１】
本発明の実施形態は、配線基板及び配線基板の設計方法に関する。
【背景技術】
【０００２】
液晶パネルや有機エレクトロルミネッセンス（ＥＬ）パネルなどの表示パネルは、軽量、薄型、低消費電力などの特徴を生かして、パーソナルコンピュータなどのＯＡ機器やテレビ、携帯電話などの携帯端末機器、カーナビゲーション装置、ゲーム機などの表示装置として広く利用されている。
【０００３】
このような表示パネルは、画像を表示するアクティブエリアにゲート配線及びソース配線を備えている。アクティブエリアの外側の周辺エリアには、画像を表示するのに必要な信号を供給する信号供給源が実装されている。ゲート配線及びソース配線は、周辺エリアに引き出され、信号供給源が実装されるパッドに電気的に接続されている。ゲート配線及びソース配線などの配線とパッドとを１対１の関係で接続する接続配線については、配線のピッチとパッドのピッチとが異なるため、任意角度に傾斜した斜め配線が多用される。
【０００４】
回路の設計で重要な項目として信号の遅延時間がある。信号の遅延は、配線のＲＣ積が大きく影響する。斜め配線が複数有る場合、各々の斜め配線のＲＣ積が異なることにより、回路動作や画面表示に影響が出ることがある。そこで、配線のレイアウトに際して、斜め配線のパターンを抽出し、ＲＣ積により抵抗値や容量値を調整することが検討されている。しかしながら、配線の抵抗値や容量値の計算は、有限要素法等の解析手法を用いたプログラムが市販されているが、設定や計算に時間がかかり、斜め配線が有る場合は特に時間がかかる。特に、隣接して並んだ斜め配線間の容量値については、配線間隔によって容量値が変わり、その計算に時間がかかる。
【先行技術文献】
【特許文献】
【０００５】
【特許文献１】特開２００８−０２１８０２号公報
【発明の概要】
【発明が解決しようとする課題】
【０００６】
本実施形態の目的は、各配線の容量値を揃えることが可能な配線基板及び配線基板の設計方法を提供することにある。
【課題を解決するための手段】
【０００７】
本実施形態によれば、
第１ピッチで並んだ第１パッド、第２パッド、第３パッドを含む第１パッド群と、第１ピッチとは異なる第２ピッチで並んだ第４パッド、第５パッド、第６パッドを含む第２パッド群と、前記第１パッドと前記第４パッドとを接続する第１接続配線、一定の幅を持つ第１ギャップをおいて前記第１接続配線に隣接し前記第２パッドと前記第５パッドとを接続する第２接続配線、前記第１ギャップと同一の一定の幅を有し且つ前記第１ギャップと同一の全長を有する第２ギャップをおいて前記第２接続配線に隣接し前記第３パッドと前記第６パッドとを接続する第３接続配線を含む接続配線群と、を備えた配線基板が提供される。
【０００８】
本実施形態によれば、
第１ピッチで並んだ第１パッド、第２パッド、第３パッドを含む第１パッド群と、第１ピッチとは異なる第２ピッチで並んだ第４パッド、第５パッド、第６パッドを含む第２パッド群と、前記第１パッドと前記第４パッドとを接続する第１接続配線、前記第１接続配線に隣接し前記第２パッドと前記第５パッドとを接続する第２接続配線、前記第２接続配線に隣接し前記第３パッドと前記第６パッドとを接続する第３接続配線を含む接続配線群と、を備えた配線基板の設計方法であって、前記第１パッド、第１仮想パッド、前記第２パッド、第２仮想パッド、及び、前記第３パッドを一列に配置した第１パッド群を形成し、前記第４パッド、第３仮想パッド、前記第５パッド、第４仮想パッド、及び、前記第６パッドを一列に配置した第２パッド群を形成し、前記第１仮想パッドと前記第３仮想パッドとを接続するとともに一定の幅を有する第１仮想配線を形成し、前記第２仮想パッドと前記第４仮想パッドとを接続するとともに前記第１仮想配線と同一の一定の幅を有し前記第１仮想配線と同一の全長を有する第２仮想配線を形成し、前記第１パッド群と前記第２パッド群との間にベタパターンを配置し、前記第１仮想配線及び前記第２仮想配線の全体をベタパターンと重ね合わせ、前記ベタパターンから前記第１仮想配線及び前記第２仮想配線を減算し、前記第１仮想配線と前記第２仮想配線との間に残ったパターンを前記第２接続配線の外形パターンとする、配線基板の設計方法が提供される。
【図面の簡単な説明】
【０００９】
【図１】図１は、本実施形態の配線基板を備えた表示装置ＤＳＰを概略的に示す平面図である。
【図２】図２は、図１に示した表示パネルＰＮＬの実装部ＭＴの構造の一例を概略的に示す平面図である。
【図３】図３は、本実施形態の配線基板の設計方法を説明するための図であり、仮想パッドを配置するステップを説明するための図である。
【図４】図４は、本実施形態の配線基板の設計方法を説明するための図であり、仮想配線を形成するステップを説明するための図である。
【図５】図５は、本実施形態の配線基板の設計方法を説明するための図であり、仮想配線をベタパターンと重ね合わせるステップを説明するための図である。
【図６】図６は、図１に示した表示パネルＰＮＬの実装部ＭＴの構造の他の例を概略的に示す平面図である。
【図７】図７は、図１に示した表示パネルＰＮＬの実装部ＭＴの構造の他の例を概略的に示す平面図である。
【発明を実施するための形態】
【００１０】
以下、本実施形態について、図面を参照しながら詳細に説明する。なお、各図において、同一又は類似した機能を発揮する構成要素には同一の参照符号を付し、重複する説明は省略する。
【００１１】
図１は、本実施形態の配線基板を備えた表示装置ＤＳＰを概略的に示す平面図である。
【００１２】
ここに図示した表示装置ＤＳＰは、表示パネルＰＮＬとして、アクティブマトリクスタイプの液晶表示パネルを備えた液晶表示装置であるが、有機ＥＬ表示パネルを備えた有機ＥＬ表示装置であっても良い。本実施形態の配線基板は、例えば、図示した表示パネルＰＮＬのアレイ基板ＡＲに相当する。
【００１３】
すなわち、表示パネルＰＮＬは、アレイ基板ＡＲと、アレイ基板ＡＲに対向配置された対向基板ＣＴと、アレイ基板ＡＲと対向基板ＣＴとの間に保持された液晶層ＬＱと、を備えている。アレイ基板ＡＲと対向基板ＣＴとは、これらの間に所定のセルギャップを形成した状態でシール材ＳＥによって貼り合わせられている。このセルギャップは、アレイ基板ＡＲまたは対向基板ＣＴに形成された図示しない柱状スペーサによって形成されている。液晶層ＬＱは、アレイ基板ＡＲと対向基板ＣＴとの間のセルギャップにおいてシール材ＳＥによって囲まれた内側に保持されている。
【００１４】
このような表示パネルＰＮＬは、シール材ＳＥによって囲まれた内側に、画像を表示するアクティブエリアＡＣＴを備えている。アクティブエリアＡＣＴは、例えば、略長方形状であり、ｍ×ｎ個のマトリクス状に配置された複数の画素ＰＸによって構成されている（但し、ｍ及びｎは正の整数である）。
【００１５】
アレイ基板ＡＲは、第１方向Ｘに沿って延出した複数のゲート配線Ｇ、第１方向Ｘに交差する第２方向Ｙに沿って延出した複数のゲート配線Ｇと交差するソース配線Ｓ、ゲート配線Ｇ及びソース配線Ｓに接続されたスイッチング素子ＳＷ、スイッチング素子ＳＷに接続された画素電極ＰＥなどを備えている。液晶層ＬＱを介して画素電極ＰＥの各々と対向する対向電極ＣＥは、例えば対向基板ＣＴに備えられているが、アレイ基板ＡＲに備えられていても良い。
【００１６】
なお、表示パネルＰＮＬの詳細な構成については説明を省略するが、ＴＮ（Ｔｗｉｓｔｅｄ  Ｎｅｍａｔｉｃ）モード、ＯＣＢ（Ｏｐｔｉｃａｌｌｙ  Ｃｏｍｐｅｎｓａｔｅｄ  Ｂｅｎｄ）モード、ＶＡ（Ｖｅｒｔｉｃａｌ  Ａｌｉｇｎｅｄ）モードなどの主として縦電界を利用するモードや、ＩＰＳ（Ｉｎ−Ｐｌａｎｅ  Ｓｗｉｔｃｈｉｎｇ）モード、ＦＦＳ（Ｆｒｉｎｇｅ  Ｆｉｅｌｄ  Ｓｗｉｔｃｈｉｎｇ）モードなどの主として横電界を利用するモードなどを適用可能に構成されている。横電界を利用するモードを適用した構成では、画素電極ＰＥ及び対向電極ＣＥの双方がアレイ基板ＡＲに備えられる。
【００１７】
駆動ＩＣチップ２及びフレキシブル・プリンテッド・サーキット（ＦＰＣ）基板３などの表示パネルＰＮＬの駆動に必要な信号を供給する信号供給源は、アクティブエリアＡＣＴよりも外側の周辺エリアＰＲＰに配置される。より具体的には、アレイ基板ＡＲは、対向基板ＣＴの基板端部ＣＴＥよりも第２方向Ｙに沿って外側に延出した実装部ＭＴを備えている。この実装部ＭＴは、駆動ＩＣチップ２が実装される位置に、複数の入力パッド２Ｉを有する入力パッド群２ＩＧ、及び、複数の出力パッド２Ｏを有する出力パッド群２ＯＧを備えている。また、実装部ＭＴは、ＦＰＣ基板３が実装される位置に、複数の入力パッド３Ｉを有する入力パッド群３ＩＧを備えている。
【００１８】
入力パッド群３ＩＧは、基板端部ＣＴＥと平行なアレイ基板ＡＲの基板端部ＡＲＥに沿って配置されている。入力パッド群２ＩＧは、入力パッド群３ＩＧよりもアクティブエリアＡＣＴ側に配置されている。出力パッド群２ＯＧは、入力パッド群２ＩＧよりもアクティブエリアＡＣＴ側に配置されている。入力パッド３Ｉと入力パッド２Ｉとは、１対１の関係で接続配線ＣＮＡによって接続されている。このような接続配線ＣＮＡには、入力パッド３Ｉ間のピッチと入力パッド２Ｉ間のピッチとが異なる場合に、第１方向Ｘ及び第２方向Ｙとは異なる方向に延出した斜め配線が含まれる。ゲート配線Ｇやソース配線ＳなどのアクティブエリアＡＣＴの各種配線と、出力パッド２Ｏとは、接続配線ＣＮＢによって接続されている。このような接続配線ＣＮＢには、配線間のピッチと出力パッド２Ｏ間のピッチとが異なる場合に斜め配線が含まれる。
【００１９】
次に、斜め配線を含む接続配線ＣＮＡあるいは接続配線ＣＮＢに適用可能な構成例について説明する。
【００２０】
図２は、図１に示した表示パネルＰＮＬの実装部ＭＴの構造の一例を概略的に示す平面図である。
【００２１】
図示したパッド群ＰＧ１及びパッド群ＰＧ２は、図１に示した入力パッド群２ＩＧ及び入力パッド群３ＩＧの一部に相当する場合もあり得るし、出力パッド群２ＯＧ及びアクティブエリアＡＣＴの各種配線端の一部に相当する場合もあり得る。
【００２２】
パッド群ＰＧ１は、パッドＰ１１乃至Ｐ１６を含んでいる。これらのパッドＰ１１乃至Ｐ１６は、この順に第１方向Ｘに沿って第１ピッチで並んでいる。パッドＰ１５は、パッド群ＰＧ１において信号が供給されるパッドのうちの最外周に位置したパッドに相当する。パッドＰ１６は、パッド群ＰＧ１の最外周に位置しており、実質的に信号が供給されるパッドではなく、例えば設置電位に設定されたダミーパッドに相当する。なお、第１ピッチは、一定であるとは限らない。
【００２３】
パッド群ＰＧ２は、パッドＰ２１乃至Ｐ２５を含んでいる。これらのパッドＰ２１乃至Ｐ２５は、この順に第１方向Ｘに沿って第１ピッチとは異なる第２ピッチで並んでいる。パッドＰ２５は、パッド群ＰＧ２において信号が供給されるパッドのうちの最外周に位置したパッドに相当する。図示した例では、第２ピッチは第１ピッチよりも大きく、また、パッドＰ２１乃至Ｐ２５のそれぞれの第１方向Ｘに沿った幅が異なっている。なお、第２ピッチは、一定であるとは限らない。
【００２４】
接続配線群ＣＮＧは、接続配線ＣＮ０乃至ＣＮ６を含んでいる。これらの接続配線ＣＮ０乃至ＣＮ６は、この順に第１方向Ｘに沿って並んでいる。接続配線ＣＮ１は、パッドＰ１１とパッドＰ２１とを接続している。
【００２５】
接続配線ＣＮ２は、一定の幅を持つギャップＧＰ１をおいて接続配線ＣＮ１に隣接し、パッドＰ１２とパッドＰ２２とを接続している。ギャップＧＰ１は、パッドＰ１１とパッドＰ１２との間からパッドＰ２１とパッドＰ２２との間に向かって形成され、図示した例では蛇行している。
【００２６】
接続配線ＣＮ３は、一定の幅を持つギャップＧＰ２をおいて接続配線ＣＮ２に隣接し、パッドＰ１３とパッドＰ２３とを接続している。ギャップＧＰ２は、パッドＰ１２とパッドＰ１３との間からパッドＰ２２とパッドＰ２３との間に向かって形成されている。このギャップＧＰ２は、ギャップＧＰ１と同一の幅を有し、しかも、ギャップＧＰ１と同一の全長を有している。
【００２７】
接続配線ＣＮ４は、一定の幅を持つギャップＧＰ３をおいて接続配線ＣＮ３に隣接し、パッドＰ１４とパッドＰ２４とを接続している。ギャップＧＰ３は、パッドＰ１３とパッドＰ１４との間からパッドＰ２３とパッドＰ２４との間に向かって形成されている。このギャップＧＰ３は、ギャップＧＰ１と同一の幅を有し、しかも、ギャップＧＰ１と同一の全長を有している。
【００２８】
接続配線ＣＮ５は、一定の幅を持つギャップＧＰ４をおいて接続配線ＣＮ４に隣接し、パッドＰ１５とパッドＰ２５とを接続している。ギャップＧＰ４は、パッドＰ１４とパッドＰ１５との間からパッドＰ２４とパッドＰ２５との間に向かって形成されている。このギャップＧＰ４は、ギャップＧＰ１と同一の幅を有し、しかも、ギャップＧＰ１と同一の全長を有している。
【００２９】
接続配線ＣＮ６は、一定の幅を持つギャップＧＰ５をおいて接続配線ＣＮ５に隣接し、パッドＰ１６に接続されたダミー接続配線に相当する。ギャップＧＰ５は、パッドＰ１５とパッドＰ１６との間からパッドＰ２５のギャップＧＰ４とは反対側に向かって形成されている。このギャップＧＰ５は、ギャップＧＰ１と同一の幅を有し、しかも、ギャップＧＰ１と同一の全長を有している。
【００３０】
接続配線ＣＮ０は、接続配線ＣＮ１の接続配線ＣＮ２とは反対側で、一定の幅を持つギャップＧＰ０をおいて接続配線ＣＮ１に隣接している。ギャップＧＰ０は、ギャップＧＰ１と同一の幅を有し、しかも、ギャップＧＰ１と同一の全長を有している。
【００３１】
つまり、ギャップＧＰ０乃至ＧＰ５は、いずれも同一の一定幅を有し、全て同一の全長を有し、しかも、互いに交差することはない。
【００３２】
換言すると、接続配線のそれぞれは、一定のギャップをおいて向かい合う辺を有し、しかも、それらの辺の長さ等しい。例えば、接続配線ＣＮ２に着目すると、接続配線ＣＮ２は、接続配線ＣＮ１と向かい合う辺Ｓ２Ａ及び接続配線ＣＮ３と向かい合う辺Ｓ２Ｂを有している。接続配線ＣＮ１は、接続配線ＣＮ２と向かい合う辺Ｓ１Ｂを有している。接続配線ＣＮ３は、接続配線ＣＮ２と向かい合う辺Ｓ３Ａを有している。
【００３３】
辺Ｓ１Ｂは、辺Ｓ２Ａと一定のギャップＧＰ１を保って向かい合っている。辺Ｓ３Ａは、辺Ｓ２Ｂと一定のギャップＧＰ２を保って向かい合っている。これらの辺Ｓ１Ｂの長さ、辺Ｓ２Ａの長さ、辺Ｓ２Ｂの長さ、及び、辺Ｓ３Ａの長さはいずれも等しい。
【００３４】
このような本実施形態によれば、パッド間のピッチや配線間のピッチ、あるいは、パッド幅や配線幅が異なる条件であったとしても、これらを電気的に接続する接続配線について、隣接する接続配線間の容量値を一定の値に揃えることが可能となる。また、実質的に信号が供給される接続配線のうち、最外周に位置した接続配線（上記した例では接続配線ＣＮ５）についても、その両側に等しいギャップをおいて一対の接続配線（上記した例では、接続配線ＣＮ４とダミー接続配線である接続配線ＣＮ６）と隣接している。このため、最外周に位置した接続配線についても、隣接する接続配線間の容量値を一定の値に揃えることが可能となる。
【００３５】
したがって、回路動作への悪影響を抑制することが可能となり、当該配線基板を適用した表示装置の表示品位の劣化を抑制することが可能となる。
【００３６】
次に、上記の配線基板の設計方法の一例について説明する。
【００３７】
図３は、本実施形態の配線基板の設計方法を説明するための図であり、仮想パッドを配置するステップを説明するための図である。
【００３８】
まず、仮想パッドＰ３１、パッドＰ１１、仮想パッドＰ３２、パッドＰ１２、仮想パッドＰ３３、パッドＰ１３、仮想パッドＰ３４、パッドＰ１４、仮想パッドＰ３５、パッドＰ１５、仮想パッドＰ３６、及び、パッドＰ１６がこの順に一列に配置したパッド群ＰＧ１を形成する。このようなパッド群ＰＧ１は、予め所定ピッチで一列に並んでいたパッドＰ１１乃至Ｐ１６に対して、仮想パッドＰ３１乃至Ｐ３６をパッドＰ１１乃至Ｐ１６と交互に配置することで形成される。
【００３９】
一方で、仮想パッドＰ４１、パッドＰ２１、仮想パッドＰ４２、パッドＰ２２、仮想パッドＰ４３、パッドＰ２３、仮想パッドＰ４４、パッドＰ２４、仮想パッドＰ４５、パッドＰ２５、及び、仮想パッドＰ４６がこの順に一列に配置したパッド群ＰＧ２を形成する。このようなパッド群ＰＧ２は、予め所定ピッチで一列に並んでいたパッドＰ２１乃至Ｐ２５に対して、仮想パッドＰ４１乃至Ｐ４６をパッドＰ２１乃至Ｐ２５と交互に配置することで形成される。
【００４０】
図４は、本実施形態の配線基板の設計方法を説明するための図であり、仮想配線を形成するステップを説明するための図である。
【００４１】
図３に示したような仮想パッドを配置するステップに続いて、仮想パッド間を接続する仮想配線を形成する。すなわち、仮想パッドＰ３１と仮想パッドＰ４１とを接続する仮想配線ＣＮ１１を形成し、仮想パッドＰ３２と仮想パッドＰ４２とを接続する仮想配線ＣＮ１２を形成し、仮想パッドＰ３３と仮想パッドＰ４３とを接続する仮想配線ＣＮ１３を形成し、仮想パッドＰ３４と仮想パッドＰ４４とを接続する仮想配線ＣＮ１４を形成し、仮想パッドＰ３５と仮想パッドＰ４５とを接続する仮想配線ＣＮ１５を形成し、仮想パッドＰ３６と仮想パッドＰ４６とを接続する仮想配線ＣＮ１６を形成する。
【００４２】
これらの仮想配線ＣＮ１１乃至ＣＮ１６は、いずれも同一の一定幅を有し、全て同一の全長を有し、しかも、互いに交差することはない。図示した例では、仮想パッドＰ３６と仮想パッドＰ４６との間が最も離れており、これらを接続する仮想配線ＣＮ１６は略直線状に形成されている。一方で、仮想パッドＰ３１−Ｐ４１間、仮想パッドＰ３２−Ｐ４２間、仮想パッドＰ３３−Ｐ４３間、仮想パッドＰ３４−Ｐ４４間、仮想パッドＰ３５−Ｐ４５間は、いずれも仮想パッドＰ３６−Ｐ４６間の距離よりも短い。このため、仮想配線ＣＮ１１乃至ＣＮ１５については、仮想配線ＣＮ１６と同一の全長となるように、適度に折れ曲がり、ジグザグ形状に形成されている。なお、仮想配線ＣＮ１１乃至ＣＮ１６は、図２に示したギャップＧＰ１乃至ＧＰ５にそれぞれ対応するものであり、ギャップＧＰ１乃至ＧＰ５の幅は仮想配線ＣＮ１１乃至ＣＮ１６の幅によって決定され、ギャップＧＰ１乃至ＧＰ５の全長は仮想配線ＣＮ１１乃至ＣＮ１６の全長によって決定される。
【００４３】
図５は、本実施形態の配線基板の設計方法を説明するための図であり、仮想配線をベタパターンと重ね合わせるステップを説明するための図である。
【００４４】
図４に示したような仮想配線を形成するステップに続いて、仮想配線とベタパターンとを重ね合わせる。すなわち、パッド群ＰＧ１とパッド群ＰＧ２との間にベタパターン５０を配置し、仮想配線ＣＮ１１乃至ＣＮ１６の全体をベタパターン５０と重ね合わせる。図示したベタパターン５０は、第１方向Ｘに沿って延出した長辺５１及び長辺５２を有する矩形パターンである。ベタパターン５０の第２方向Ｙに沿った長さは、パッド群ＰＧ１とパッド群ＰＧ２との第２方向Ｙに沿った間隔と同等以上である。長辺５１は、パッドＰ１１乃至Ｐ１６、及び、仮想パッドＰ３１乃至Ｐ３６と交差している。長辺５２は、パッドＰ２１乃至Ｐ２５、及び、仮想パッドＰ４１乃至Ｐ４６と交差している。
【００４５】
続いて、このベタパターン５０と仮想配線ＣＮ１１乃至ＣＮ１６との差を図形演算、例えばＡＮＤＮＯＴ演算して、ベタパターン５０から仮想配線ＣＮ１１乃至ＣＮ１６を減算する。これにより、隣接する仮想配線の間に残ったパターンを接続配線の外形パターンとする。なお、接続配線の外形パターンを作成するに際して、不要なパターン、例えば、仮想パッドＰ３１乃至Ｐ３６や、仮想パッドＰ４１乃至Ｐ４６などを削除する。このようにして設計された外形パターンは、例えば、接続配線をパターニングする際に適用されるフォトマスクのパターンに採用される。上記の外形パターンに基づいて形成された接続配線が図２に示したものである。
【００４６】
このような設計方法によれば、パッド間のピッチや配線間のピッチ、あるいは、パッド幅や配線幅が異なる条件であったとしても、これらを電気的に接続する接続配線について、容量値を一定の値に揃えた接続配線を容易に形成することが可能となる。このため、配線のレイアウトに際して、作業時間を短縮することが可能となる。
【００４７】
なお、上記の配線基板の設計方法の動作をコンピュータに読み取り可能なパッド間の配線プログラムとしたり、計算機にて自動的に計算できるパッド間の配線用のＣＡＤソフトウエアとしたりすることもできる。また、パッド間の配線プログラムやＣＡＤソフトウエアを記録した光ディスクあるいは磁気ディスクその他の記録媒体に収容し、この記録媒体を計算機に自動的に動作させるために用いることができる。
【００４８】
上記の例では、隣接する接続配線間の容量値を一定に揃えることができたが、各接続配線の抵抗値が一定の値に揃っているとは限らない。
【００４９】
図６は、図１に示した表示パネルＰＮＬの実装部ＭＴの構造の他の例を概略的に示す平面図である。
【００５０】
ここに示した例は、図２に示した例と比較して、隣接する接続配線間の容量値が一定であり、且つ、各接続配線の抵抗値が一定の値に揃っている点で相違している。すなわち、ギャップＧＰ０乃至ＧＰ５は、同一の一定幅を有するとともに、同一の全長を有しているが、図２に示した例とは形状が異なっている。つまり、接続配線ＣＮ１乃至ＣＮ５の形状は、図２に示した例とは異なっている。このように、隣接する接続配線間のギャップについては上記の例と同様に形成しつつ、接続配線ＣＮ１乃至ＣＮ５の形状を変更することにより、接続配線ＣＮ１乃至ＣＮ５の抵抗値を揃えることが可能である。このようなパターンの作成には、ジグザグ形状の仮想配線の頂点を変数として、接続配線の抵抗値を揃える最適化プログラムを作成し使用した。
【００５１】
図７は、図１に示した表示パネルＰＮＬの実装部ＭＴの構造の他の例を概略的に示す平面図である。
【００５２】
ここに示した例は、図２に示した例と比較して、接続配線の少なくとも１つに開口が形成された点で相違している。図示した例では、接続配線ＣＮ１が開口ＡＰ１を有し、接続配線ＣＮ２が開口ＡＰ２を有し、接続配線ＣＮ３が開口ＡＰ３を有し、接続配線ＣＮ４が開口ＡＰ４を有している。このような開口を形成することにより、接続配線の抵抗値を揃えることが可能となる。
【００５３】
また、図示しないが、接続配線の少なくとも１つは、抵抗値の異なる複数の導電層を積層した多層構造であっても良い。例えば、図１に示した表示パネルＰＮＬにおいては、スイッチング素子ＳＷの半導体層、ゲート配線Ｇの導電層、ソース配線Ｓの導電層、画素電極ＰＥの導電層などがそれぞれ異なるレイヤに形成されており、接続配線の抵抗値を調整するために、複数の導電層を積層した多層構造を容易に形成することができる。このような多層構造を適用することにより、接続配線の抵抗値を揃えることが可能となる。
【００５４】
以上説明したように、本実施形態によれば、各配線の容量値を揃えることが可能な配線基板及び配線基板の設計方法を提供することができる。
【００５５】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５６】
ＤＳＰ…表示装置
ＰＮＬ…表示パネル  ＡＲ…アレイ基板  ＣＴ…対向基板  ＬＱ…液晶層
ＭＴ…実装部  ＣＮＡ…接続配線  ＣＮＢ…接続配線
ＰＧ１…パッド群  Ｐ１１〜Ｐ１６…パッド
ＰＧ２…パッド群  Ｐ２１〜Ｐ２５…パッド
ＣＮＧ…接続配線群  ＣＮ０〜ＣＮ６…接続配線
ＧＰ０〜ＰＧ５…ギャップ
Ｐ３１〜Ｐ３６…仮想パッド  Ｐ４１〜Ｐ４６…仮想パッド
ＣＮ１１〜ＣＮ１６…仮想配線
５０…ベタパターン  ５１…長辺  ５２…長辺  ＣＴＥ…基板端部  ＡＣＴ…アクティブエリア  ＰＲＰ…周辺エリア  ＳＥ…シール材  ＡＲＥ…基板端部  ＰＥ…画素電極  ＣＥ…対向電極  ＳＷ…スイッチング素子  Ｇ…ゲート配線  Ｓ…ソース配線
【図１】
2014074758.tif 000003
【図２】
2014074758.tif 000004
【図３】
2014074758.tif 000005
【図４】
2014074758.tif 000006
【図５】
2014074758.tif 000007
【図６】
2014074758.tif 000008
【図７】
2014074758.tif 000009